(57)【要約】【課題】上蓋３を閉めるとき最後まで手を添える煩雑さを解消する。【解決手段】金品等を入れる本体２と、本体２の上部に開閉自在に取り付けられた上蓋３とを備えた蓋跳ね上げ式金庫１である。本体２と上蓋３との間に緩衝器４を掛け渡して設けた。緩衝器４を、ガスダンパー、オイルダンパー又はオイルガスダンパーで構成し、上蓋３の開閉領域でガス又はオイルの一方又は両方が利いて、上蓋３がゆっくり閉める。緩衝器４内にはスプリング３０を備えた。このスプリング３０によって、上蓋３の開閉領域のうち全閉近傍でスプリング３０が利いて上蓋３を弾性的に支持する。本体２内には、収納されたパソコン等を接続して充電するためのコンセント７を備えた。【選択図】図１
0003101569.tif 000002
【実用新案登録請求の範囲】
【請求項１】
金品等を入れる本体と、当該本体の上部に上方へ向けて開閉自在に取り付けられた上蓋とを備えた蓋跳ね上げ式金庫において、
上記本体と上蓋との間に緩衝器を掛け渡して設けたことを特徴とする蓋跳ね上げ式金庫。
【請求項２】
請求項１に記載の蓋跳ね上げ式金庫において、
上記緩衝器がガスダンパーで構成され、上記上蓋の開閉領域の全域でガスが利いて上記上蓋がゆっくり閉まることを特徴とする蓋跳ね上げ式金庫。
【請求項３】
請求項１に記載の蓋跳ね上げ式金庫において、
上記緩衝器がオイルダンパーで構成され、上記上蓋の開閉領域の全域でオイルが利いて上記上蓋がゆっくり閉まることを特徴とする蓋跳ね上げ式金庫。
【請求項４】
請求項１に記載の蓋跳ね上げ式金庫において、
上記緩衝器がオイルガスダンパーで構成され、上記上蓋の開閉領域のうち全開から全閉近傍までガスが利いて上記上蓋がゆっくり閉まり、全閉近傍から全閉までオイルが利いて重くなり上記上蓋が極めてゆっくり閉まることを特徴とする蓋跳ね上げ式金庫。
【請求項５】
請求項１ないし４のいずれか１項に記載の蓋跳ね上げ式金庫において、
上記緩衝器内に弾性部材を備え、上記上蓋の開閉領域のうち全閉近傍で弾性部材が利いて上記上蓋を弾性的に支持することを特徴とする蓋跳ね上げ式金庫。
【請求項６】
請求項１ないし５のいずれか１項に記載の蓋跳ね上げ式金庫において、
上記緩衝器が、ピストンとシリンダとを備えて構成され、上記ピストンに１つのオリフィスを備えたことを特徴とする蓋跳ね上げ式金庫。
【請求項７】
請求項１ないし５のいずれか１項に記載の蓋跳ね上げ式金庫において、
上記緩衝器がピストンとシリンダとを備えて構成され、上記ピストンに、上記緩衝器が縮むときに開く小径のオリフィスと、上記緩衝器が伸びるときに開く大径のオリフィスとを備えたことを特徴とする蓋跳ね上げ式金庫。
【請求項８】
請求項１ないし７のいずれか１項に記載の蓋跳ね上げ式金庫において、
上記本体内に、コンセントを備えたことを特徴とする蓋跳ね上げ式金庫。
【考案の詳細な説明】
【技術分野】
【０００１】
上蓋が本体の上部に取り付けられて、上方へ開閉する方式の蓋跳ね上げ式金庫に関する。
【背景技術】
【０００２】
一般に金庫は、金品等を収納する本体と、本体に取り付けられた開閉扉とから構成されている。開閉扉は、正面に設けられ、左右に開閉するようになっている。この左右開閉式の扉の場合、金庫が大型であれば、扉を開いて金品等を容易に出し入れすることができる。
【０００３】
しかし、金庫が小型になると、正面に設けた左右開閉式の扉では、金品等の出し入れが不便である。
【０００４】
このため、小型の金庫においては、本体の上部に上蓋を設けて上方へ開閉する方式の金庫が一般的である。
【考案の開示】
【考案が解決しようとする課題】
【０００５】
しかしながら、本体の上部の上蓋が上方へ開閉する方式の金庫の場合、上蓋を閉めるときに手を離すと、勢い良く閉まってしまうため、最後まで手を添える必要がある。このとき、上蓋の下側に指を回した状態で上蓋を閉めると、指を挟んでしまうことがある。このため、上蓋の開閉が煩雑であるという問題点がある。
【０００６】
本考案は、上述の問題点に鑑みてなされたもので、上蓋を開閉するときの煩雑さを解消した蓋跳ね上げ式金庫を提供することを目的とする。
【課題を解決するための手段】
【０００７】
前述した課題を解決するために第１の考案に係る蓋跳ね上げ式金庫は、金品等を入れる本体と、当該本体の上部に上方へ向けて開閉自在に取り付けられた上蓋とを備えた蓋跳ね上げ式金庫において、上記本体と上蓋との間に緩衝器を掛け渡して設けたことを特徴とする。
【０００８】
上記構成により、本体内の金品等を出し入れするために上蓋を開閉するときに、緩衝器が上蓋の動きを制限して、上蓋から手を離しても上蓋がゆっくりと滑らかに閉まるようになる。
【０００９】
第２の考案に係る蓋跳ね上げ式金庫は、第１の考案に係る蓋跳ね上げ式金庫において、上記緩衝器がガスダンパーで構成され、上記上蓋の開閉領域の全域でガスが利いて上記上蓋がゆっくり閉まることを特徴とする。
【００１０】
上記構成により、上記上蓋を開閉する際に、上蓋の開閉領域の全域でガスが利いて、上記上蓋がゆっくりと滑らかに閉まる。
【００１１】
第３の考案に係る蓋跳ね上げ式金庫は、第１の考案に係る蓋跳ね上げ式金庫において、上記緩衝器がオイルダンパーで構成され、上記上蓋の開閉領域の全域でオイルが利いて上記上蓋がゆっくり閉まることを特徴とする。
【００１２】
上記構成により、上記上蓋を開閉する際に、上蓋の開閉領域の全域でオイルが利いて、上記上蓋がゆっくりと滑らかに閉まる。
【００１３】
第４の考案に係る蓋跳ね上げ式金庫は、第１の考案に係る蓋跳ね上げ式金庫において、上記緩衝器がオイルガスダンパーで構成され、上記上蓋の開閉領域のうち全開から全閉近傍までガスが利いて上記上蓋がゆっくり閉まり、全閉近傍から全閉までオイルが利いて重くなり上記上蓋が極めてゆっくり閉まることを特徴とする。
【００１４】
上記構成により、上記上蓋を開閉する際に、上蓋の開閉領域のうち全開から全閉近傍まではガスが利いて上記上蓋がゆっくりと滑らかに閉まるため、その間で上蓋をスムーズに開閉できる。さらに、全閉近傍から全閉まではオイルが利くため、上記上蓋が極めてゆっくり閉まり、その間で上蓋が急に閉まることがなくなる。
【００１５】
第５の考案に係る蓋跳ね上げ式金庫は、第１ないし第３の考案のいずれかに係る蓋跳ね上げ式金庫において、上記緩衝器内に弾性部材を備え、上記上蓋の開閉領域のうち全閉近傍で弾性部材が利いて上記上蓋を弾性的に支持することを特徴とする。
【００１６】
上記構成により、上蓋を閉めるとき、その上蓋が全開側から全閉近傍まで閉まると、弾性部材が利いて上蓋を弾性的に支持される。これにより、上蓋が全閉近傍から全閉までの間で急に閉まることがなくなる。この結果、上蓋に注意する必要がなく、上蓋開閉時の煩雑さが解消する。上蓋を閉めるときは、弾性部材に抗して上蓋を押し下げてロックする。ロックを解除すると、上蓋が弾性部材で全閉近傍まで押し開かれる。
【００１７】
第６の考案に係る蓋跳ね上げ式金庫は、第１ないし第４の考案のいずれかに係る蓋跳ね上げ式金庫において、上記緩衝器が、ピストンとシリンダとを備えて構成され、上記ピストンに１つのオリフィスを備えたことを特徴とする。
【００１８】
上記構成により、上記上蓋の開閉に伴って上記緩衝器が伸縮されると、ピストンがシリンダ内を移動する。このとき、内部の流体がオリフィスを通る際に大きな抵抗を生じて、上蓋の開閉をゆっくりしたものにさせる。
【００１９】
第７の考案に係る蓋跳ね上げ式金庫は、第１ないし第４の考案のいずれかに係る蓋跳ね上げ式金庫において、上記緩衝器がピストンとシリンダとを備えて構成され、上記ピストンに、上記緩衝器が縮むときに開く小径のオリフィスと、上記緩衝器が伸びるときに開く大径のオリフィスとを備えたことを特徴とする。
【００２０】
上記構成により、上記上蓋の開閉に伴って上記緩衝器が伸縮されると、ピストンがシリンダ内を移動する。このとき、上蓋を開くと上記緩衝器が伸張されるため、小径のオリフィスは閉じ、大径のオリフィスが開く。これにより、内部の流体がこの大径のオリフィスを通る際に小さな抵抗を生じて、上蓋を開く動作を軽く滑らかなものにさせる。上蓋を閉じると上記緩衝器が収縮されるため、大径のオリフィスが閉じ、小径のオリフィスが開く。これにより、内部の流体がこの小径のオリフィスを通る際に大きな抵抗を生じて、上蓋を閉じる動作を重くゆっくりしたものにさせる。
【００２１】
第８の考案に係る蓋跳ね上げ式金庫は、第１ないし第６の考案のいずれかに係る蓋跳ね上げ式金庫において、上記本体内に、コンセントを備えたことを特徴とする。
【００２２】
上記構成により、本体内に、パソコン、携帯電話、ＰＤＡ等を収納した状態で、コンセントに接続して充電する。
【考案の効果】
【００２３】
（１）  本体と上蓋との間に緩衝器を掛け渡して設けたので、上記上蓋を閉めるときに最後まで手を添えて注意する必要がなく、上蓋開閉時の煩雑さが解消する。
【００２４】
（２）  上記緩衝器をガスダンパーで構成したので、上記上蓋を開閉させるときにガスが利いて上記上蓋がゆっくり閉まるため、上蓋を閉めるときに最後まで手を添えて注意する必要がなく、上蓋開閉時の煩雑さが解消する。
【００２５】
（３）  上記緩衝器をオイルダンパーで構成したので、上記上蓋を開閉させるときにオイルが利いて上記上蓋がゆっくり閉まるため、上蓋を閉めるときに最後まで手を添えて注意する必要がなく、上蓋開閉時の煩雑さが解消する。
【００２６】
（４）  上記緩衝器をオイルガスダンパーで構成したので、上蓋が急に閉まることがなくなり、上蓋に注意する必要がなく、上蓋開閉時の煩雑さが解消する。
【００２７】
（５）  上記緩衝器内に上記弾性部材を備え、全閉近傍から全閉までの間で弾性部材が利いて上蓋を弾性的に支持されるため、上蓋が全閉近傍から全閉までの間で急に閉まることがなくなる。弾性部材の弾性力が強い場合は、上蓋は全閉近傍で支持されてそれ以上閉まることがない。このため、上蓋を閉めるときに最後まで手を添えて注意する必要がなく、上蓋開閉時の煩雑さが解消する。
【００２８】
（６）  上記緩衝器のピストンに１つのオリフィスを備えて、上蓋の開閉をゆっくりしたものにさせるため、上蓋を閉めるときに最後まで手を添えて注意する必要がなく、上蓋開閉時の煩雑さが解消する。
【００２９】
（７）  上記緩衝器のピストンに、緩衝器が縮むときに開く小径のオリフィスと、緩衝器が伸びるときに開く大径のオリフィスとを備えて、上蓋を開く動作を軽く滑らかなものにさせると共に上蓋を閉じる動作を重くゆっくりしたものにさせるため、上蓋を閉めるときに最後まで手を添えて注意する必要がなく、上蓋開閉時の煩雑さが解消する。
【００３０】
（８）  上記本体内にコンセントを備えたので、重要な情報等が記録されたパソコン等を安全に保管した状態で充電することができる。
【考案を実施するための最良の形態】
【００３１】
以下、本考案に係る蓋跳ね上げ式金庫ついて図面を参照しながら説明する。なお、図１は本実施形態に係る蓋跳ね上げ式金庫を示す側面図、図２は本実施形態に係る蓋跳ね上げ式金庫を示す平面図、図３は本実施形態に係る蓋跳ね上げ式金庫を示す正面図、図４は本実施形態に係る蓋跳ね上げ式金庫の緩衝器を示す要部断面図、図５は本実施形態に係る蓋跳ね上げ式金庫の緩衝器を示す概略構成図、図６は本実施形態に係る蓋跳ね上げ式金庫の緩衝器を示す断面図である。
【００３２】
蓋跳ね上げ式金庫１は図１〜図３に示すように主に、本体２と、上蓋３と、緩衝器４とから構成されている。
【００３３】
本体２は、金品等を入れるための筐体である。底の浅い四角形皿状に形成され、上方が開放している。本体２の前板２Ａの内側面には、上蓋３側のロックピン１２に係止して上蓋３を本体２側に固定するための係止片６が設けられている。本体２内の一角には、コンセント７が設けられている。このコンセント７は、パソコン、携帯電話、ＰＤＡ等の充電をするためのものである。本体２は、ノートパソコンが収納できる程度の大きさに設定されている。本体２の背板２Ｂには、コード用穴８が設けられて、コンセント７の電源コード９がこのコード用穴８を通して外部に延ばされ、電源に接続されている。
【００３４】
上蓋３は本体２の上側開口を塞ぐための部材である。上蓋３は、本体２の上端縁の後端部に回動自在に支持されることで、上方へ向けて開閉自在に取り付けられている。上蓋３の下側面には、ロック機構１１が設けられている。ロック機構１１は、ロックピン１２を出没させるための装置である。このロック機構１１でロックピン１２を突出させることで、本体２の前板２Ａの係止片６と係止させて上蓋３を本体２側に固定すると共に、ロックピン１２を埋没させることで、係止片６との係止が解かれて上蓋３の固定を解除するようになっている。上蓋３の上側面には、ロック機構１１の操作部１３が設けられている。ここでは、操作部１３としてテンキーが配設されている。これにより、操作部１３のテンキーから番号を入力してロックキーを押すことで、ロック機構１１のロックピン１２が突出した状態でロックされて上蓋３が本体２に固定され、同じ番号を入力してロック解除キーを押すことで、ロック機構１１のロックピン１２が埋没して上蓋３の固定が解除されるようになっている。なお、この操作部１３としては、テンキーに限らず、カギ穴にカギを差し込む方式等の他の方式でもよい。
【００３５】
上蓋３の上側面の前端側には、取っ手部１４が設けられている。上蓋３は、ロック解除された後、この取っ手部１４に指を入れて開閉される。上蓋３の全開時の開度は８０°程度に設定する。この開度は、全開状態の上蓋３が自重で閉じようとする力と、緩衝器４の収縮に対する抵抗力とが釣り合って、上蓋３が全開状態に維持される角度である。この全開時の開度は、操作性、緩衝器４の取り付け位置、上蓋３の重さ、緩衝器４の収縮に対する抵抗力の強さ等の諸条件に応じて適宜設定する。
【００３６】
緩衝器４は、上蓋３をゆっくり滑らかに開閉させるための部材である。緩衝器４は、本体２及び上蓋３の間に掛け渡して設けられている。具体的には図４に示すように設けられている。本体２の一方の側板２Ｃの内側面には下側取付金具１５が設けられている。下側取付金具１５は、側板２Ｃの内側面に固定された基部１５Ａと、この基部１５Ａに支持された支持軸１５Ｂとから構成されている。支持軸１５Ｂには緩衝器４の下端軸受け部３１が回転自在に支持されている。上蓋３の下側面には上側取付金具１６が設けられている。上側取付金具１６は、上蓋３の下側面に固定された基部１６Ａと、この基部１６Ａに支持された支持軸１６Ｂとから構成されている。支持軸１６Ｂには緩衝器４の上端軸受け部２３が回転自在に支持されている。
【００３７】
下側取付金具１５及び上側取付金具１６の取り付け位置は、図５に示すように、上蓋３が完全に閉じた状態（全閉状態）で、緩衝器４が限度近くまで縮み、完全に開いた状態（全開状態）で、緩衝器４が限度まで伸びる位置に設定されている。これにより、緩衝器４は、上蓋３をゆっくり滑らかに開閉させる機能と、ストッパとしての機能を備えている。緩衝器４は、上蓋３の全閉状態で、水平に対して３０°程度傾斜するように設定されている。これにより、後述する緩衝器４のスプリング３０の付勢力で、ロック解除された上蓋３が全閉状態から全閉近傍まで押し開かれるようになっている。ここでいう全閉近傍とは、本体２と上蓋３との間に指が入る程度又はそれより少し広い程度の開度である。また、十分な余裕を持たせるために、さらに広い開度する場合もある。蓋跳ね上げ式金庫１の大きさ、上蓋３の重さ等の諸条件に応じて、全閉近傍の具体的開度を設定する。
【００３８】
緩衝器４はオイルガスダンパーで構成されている。緩衝器４は、図６に示すように、ピストン部１８と、シリンダ部１９とから構成されている。
【００３９】
ピストン部１８は、ピストン２１と、ピストンロッド２２と、上端軸受け部２３とから構成されている。ピストン２１は後述するシリンダ部１９のシリンダ２７内を往復運動するための部材である。ピストン２１はシリンダ２７の内径とほぼ同じ径の肉厚円盤状に形成されて、シリンダ２７の内壁に密に接するようになっている。これにより、ピストン２１がシリンダ２７内を２つの部屋に分割している。ピストン２１には１つのオリフィス２５が設けられている。シリンダ２７内に密封された圧縮ガスＧ等が、分割されたシリンダ２７内の２つの部屋間を、上記オリフィス２５を通って移動することで、緩衝器４の伸縮時の大きな抵抗を生みだすようになっている。ピストンロッド２２は、ピストン２１で生じる抵抗を上蓋３側へ伝えるための棒材である。ピストンロッド２２は、その下端部がピストン２１に固定された状態でシリンダ２７から外部に延出されている。上端軸受け部２３はピストンロッド２２を上蓋３側に回転自在に取り付けるための部材である。上端軸受け部２３はピストンロッド２２の上端部に一体的に取り付けられている。
【００４０】
シリンダ部１９は、シリンダ２７と、ロッドガイド２８と、シール２９と、スプリング３０と、下端軸受け部３１とから構成されている。シリンダ２７は、密閉空間を形成してピストン２１の往復運動を支持するための部材である。シリンダ２７は、中空円筒状に形成され、その下端部が密閉され、上端部が開放されている。シリンダ２７の内壁面は、ピストン２１がスムーズに往復運動できるように、鏡面仕上げされている。シリンダ２７内には、圧縮ガスＧとオイルＯとが充填されている。圧縮ガスＧはピストン２１のオリフィス２５を比較的スムーズに通るため、ピストン２１が圧縮ガスＧ中にあるときは、緩衝器４が比較的に軽い力で伸縮する。オイルＯはピストン２１のオリフィス２５を通りづらいため、ピストン２１がオイルＯ中にあるときは、緩衝器４が比較的に重い力で伸縮する。オイルＯの量は、ピストン２１がオイル面に達した状態で、本体２と上蓋３との間隔が上記全閉近傍より少し開いた状態になるように設定されている。
【００４１】
ロッドガイド２８は、ピストンロッド２２をスライド可能に支持するための部材である。ロッドガイド２８は、シリンダ２７の上端開口を塞ぐように取り付けられている。シール２９は、ピストンロッド２２のスライドを許容した状態で、ピストンロッド２２とシリンダ２７との間を密封するための部材である。シール２９は、シリンダ２７の上端部のロッドガイド２８の内側に取り付けられている。
【００４２】
スプリング３０は、緩衝器４が最も縮んだ状態で、ピストンロッド２２に付勢力を付けるための部材である。スプリング３０は、シリンダ２７の下端部に取り付けられている。スプリング３０は、緩衝器４が最も縮んでピストン２１がシリンダ２７の下端部近傍まで移動した状態で、このピストン２１で押し縮められて、ピストンロッド２２に付勢力を付けるようになっている。これにより、閉じた状態の上蓋３のロックが解除されたときに、上蓋３を全閉近傍まで押し開くようになっている。スプリング３０の強さ及び長さは、上蓋３の重さ等に応じて適宜設定する。例えば、スプリング３０の長さは、スプリング３０とピストン２１とが接触する位置で、本体２と上蓋３との間隔がほぼ上記全閉近傍の開度になるように設定する。スプリング３０の強さは、上蓋３が閉じた状態からロックが解除されたときに、上記全閉近傍の開度までゆっくり開く程度に設定する。スプリング３０の長さ及び強さは、諸条件を考慮した設計によって、さらに強くしたり弱くしたり、適宜設定される。
【００４３】
下端軸受け部３１は緩衝器４を下側取付金具１５の支持軸１５Ｂに回転自在に支持するための部材である。下端軸受け部３１は、シリンダ２７の下端部に一体的に取り付けられている。
【００４４】
以上のように構成された蓋跳ね上げ式金庫１は次のようにして使用する。
【００４５】
金品等を出し入れする場合はまず、操作部１３を操作してロックを解除する。これにより、ロックピン１２が埋没して上蓋３の拘束が解かれ、スプリング３０で付勢された緩衝器４が上蓋３を全閉近傍の開度に押し開く。このとき、ピストン２１はオイルＯ中に浸かっているため、上蓋３は極めてゆっくり開かれる。次いで、上蓋３を手で持って開く。このときは、ピストン２１は圧縮ガスＧ中にあるため、上蓋３は比較的軽い力でゆっくり開く。上蓋３が完全に開くと、上蓋３は緩衝器４の抵抗と釣り合って全開状態に保たれる。
【００４６】
上蓋３を閉めるときは、手で上蓋３を閉める方向に少しだけ倒す。その後は、上蓋３を手で持っても持たなくても、上蓋３はゆっくりと滑らかに閉まっていく。このとき、ピストン２１は、圧縮ガスＧ中ではゆっくり、オイルＯ中では極めてゆっくり閉まって、スプリング３０まで達し、このスプリング３０で支持される。これにより、上蓋３は全閉近傍で止まる。次いで、上蓋３を手で押してロックピン１２を係止片６に係止させ、操作部１３を操作してロックする。
【００４７】
この蓋跳ね上げ式金庫１は、家具の引出し等の出し入れできるものに収納することができる。蓋跳ね上げ式金庫１は、この引出し等に収納された状態で、引き出すことにより、蓋跳ね上げ式金庫１の上側が開放して、上蓋３を容易に開閉することができる。蓋跳ね上げ式金庫１を家具の引出し内に収納することで、外部から見えず、目立たず、コンパクトに収納することができる。これにより、防犯に優れ、安全性が向上する。金品等を出し入れするときは、まず引き出しを引いて蓋跳ね上げ式金庫１の上蓋３が開閉できる位置まで出し、上記操作を行う。
【００４８】
また、パソコン、携帯電話、ＰＤＡ等の情報通信機器であって、重要な情報等を記録している場合においては、そのパソコン等を蓋跳ね上げ式金庫１に収納することがある。このとき、必要であれば、蓋跳ね上げ式金庫１内のコンセント７に情報通信機器を接続しておく。これにより、蓋跳ね上げ式金庫１内に情報通信機器を保管するときに、保管と同時に充電をすることができる。
【００４９】
以上のように、本体２と上蓋３との間に緩衝器４を設けたので、上蓋３を閉めるときに最後まで手を添えて注意する必要がなくなり、上蓋開閉時の煩雑さが解消する。
【００５０】
緩衝器４をオイルとガスを封入したダンパーで構成したので、上蓋３はピストン２１のオリフィス２５をガス通るときゆっくり、オイルが通るとき極めてゆっくり閉まっていく。このため、上蓋３に注意する必要がなく、上蓋開閉時の煩雑さが解消する。
【００５１】
さらに、緩衝器４内にスプリング３０を備えて、上蓋３を全閉近傍から全閉状態までの間で弾性的に支持するため、上蓋３は全閉近傍で支持されてそれ以上閉まることがなくなる。これにより、上蓋３が全閉近傍から全閉までの間で従来のように急に閉まることがなくなるため、上蓋３を閉めるときに最後まで手を添えて注意する必要がなくなって、上蓋開閉時の煩雑さが解消する。
【００５２】
また、本体２内にコンセント７を備えたので、重要な情報等が記録されたパソコン等の情報通信機器を安全に保管することができると共に、その保管と同時に充電することもできるようになる。
【００５３】
［変形例］
（１）  上記実施形態では、緩衝器４の弾性部材としてスプリング３０を用いたが、スプリング３０に限らず、弾性を有して上蓋３を弾性的に支持したり押し開いたりできるものであれば、ゴム等の他の部材でもよい。この場合も、上記実施形態と同様の作用、効果を奏することができる。
【００５４】
（２）  上記実施形態では、緩衝器４をオイルガスダンパーで構成したが、ガスダンパーで構成してもよい。この場合、上蓋３が全開状態から全閉状態まで全域でガスが利いて、上蓋３がゆっくり閉まっていく。なお、ピストン２１のオリフィス２５の大きさは、ガスが通る際に設定された抵抗力を生み出す大きさに設定する。この場合も、上記実施形態と同様の作用、効果を奏することができる。
【００５５】
また、緩衝器４をオイルダンパーで構成しても良い。この場合、上蓋３が全開状態から全閉状態まで全域でオイルが利いて、上蓋３がゆっくり閉まっていく。なお、ピストン２１のオリフィス２５の大きさは、オイルが通る際に設定された抵抗力を生み出す大きさに設定する。この場合も、上記実施形態と同様の作用、効果を奏することができる。
【００５６】
また、緩衝器４をガスダンパー又はオイルダンパーで構成する場合、スプリング３０を設ける態様と設けない態様がある。スプリング３０を設ける場合、全閉近傍から全閉状態までの間で上蓋３が弾性的に支持される。スプリング３０を設けない場合は、全閉近傍から全閉状態までの間で弾性支持がなくなるが、他の開閉領域ではガス又はオイルで上蓋３がゆっくり開閉される。
【００５７】
（３）  上記実施形態では、緩衝器４にスプリング３０を設けたが、スプリング３０を設けない態様もある。緩衝器４をオイルガスダンパーだけで構成する場合は、全閉近傍から全閉状態までの間で弾性支持がなくなるが、他の開閉領域ではガスとオイルで上蓋３がゆっくり開閉される。
【００５８】
（４）  上記実施形態では、緩衝器４にガス又はオイルの一方又は両方を設けて構成したが、緩衝器４をスプリング３０等の弾性部材だけで構成しても良い。この場合、全開から全閉近傍までの開閉領域では何の抵抗もないため、上蓋を軽く開閉させることができる。全閉近傍から全閉までの間では上記弾性部材が弾性的に支持する。
【００５９】
（５）  上記実施形態では、緩衝器４のピストン２１に１つのオリフィス２５を設けたが、オリフィスを２つ設けてもよい。例えば、図７に示すように、ピストン４１に２つのオリフィス４２，４３を設ける。第１オリフィス４２は、緩衝器４を伸張させるときに機能するオリフィスである。第１オリフィス４２は、内径の大きな穴で構成され、その下側開口に開閉バルブ４５が設けられている。この開閉バルブ４５は、ピストン４１を緩衝器４の伸張方向（図７中の上方向）に移動させると開き、緩衝器４の収縮方向に移動させると閉じるようになっている。第２オリフィス４３は、緩衝器４を収縮させるときに機能するオリフィスである。第２オリフィス４３は、内径の小さな穴で構成され、その上側開口に開閉バルブ４６が設けられている。この開閉バルブ４６は、ピストン４１を緩衝器４の収縮方向に移動させると開き、緩衝器４の伸張方向に移動させると閉じるようになっている。これにより、緩衝器４を伸張させるときは、第２オリフィス４３が閉じて第１オリフィス４２が開くため、ピストン４１に生じる抵抗は比較的小さく、上蓋３は軽い力で開くことができる。緩衝器４を収縮させるときは、第１オリフィス４２が閉じて第２オリフィス４３が開くため、ピストン４１に生じる抵抗は比較的大きく、上蓋３は手を備えなくてもゆっくり閉じていく。このとき、緩衝器４にスプリング３０等の弾性部材を設ける場合と設けない場合とがある。その態様は、上述の通りである。この場合も、上記実施形態と同様の作用、効果を奏することができる。
【００６０】
（６）  上記実施形態では、蓋跳ね上げ式金庫１を家具の引出し内に収納する場合を例に説明したが、引出し以外でも、上蓋３を開閉できる態様であれば、他の手段に収納してもよい。この場合も、上記実施形態と同様の作用、効果を奏することができる。
【図面の簡単な説明】
【００６１】
【図１】本考案の実施形態に係る蓋跳ね上げ式金庫を示す側面図である。
【図２】本考案の実施形態に係る蓋跳ね上げ式金庫を示す平面図である。
【図３】本考案の実施形態に係る蓋跳ね上げ式金庫を示す正面図である。
【図４】本考案の実施形態に係る蓋跳ね上げ式金庫の緩衝器を示す要部断面図である。
【図５】本考案の実施形態に係る蓋跳ね上げ式金庫の緩衝器を示す概略構成図である。
【図６】本考案の実施形態に係る蓋跳ね上げ式金庫の緩衝器を示す断面図である。
【図７】変形例を示す要部断面図である。
【符号の説明】
【００６２】
１：蓋跳ね上げ式金庫、２：本体、２Ａ：前板、２Ｂ：背板、２Ｃ：側板、３：上蓋、４：緩衝器、６：係止片、７：コンセント、８：コード用穴、９：電源コード、１１：ロック機構、１２：ロックピン、１３：操作部、１４：取っ手部、１５：下側取付金具、１５Ａ：基部、１５Ｂ：支持軸、１６：上側取付金具、１６Ａ：基部、１６Ｂ：支持軸、１８：ピストン部、１９：シリンダ部、２１：ピストン、２２：ピストンロッド、２３：上端軸受け部、２５：オリフィス、２７：シリンダ、２８：ロッドガイド、２９：シール、３０：スプリング、３１：下端軸受け部、Ｇ：圧縮ガス、Ｏ：オイル。
【図１】
0003101569.tif 000003
【図２】
0003101569.tif 000004
【図３】
0003101569.tif 000005
【図４】
0003101569.tif 000006
【図５】
0003101569.tif 000007
【図６】
0003101569.tif 000008
【図７】
0003101569.tif 000009